(57)【要約】      （修正有）【課題】ＬＥＤ照明および無電極照明を組み合わせて、高発光および高効率の配光を達成するハイブリッド照明装置を提供する。【解決手段】内周壁に蛍光粉を塗布し且つ水銀ガスを封入した蛍光管およびフェライトコアに巻き付けた誘導コイルからなる無電極照明部と、１個または複数個のＬＥＤ素子からなる表面実装型または砲弾形のＬＥＤ照明部とを有し、ＬＥＤ照明部は、蛍光管の後方において、下方から見て無電極照明部と重ならないような位置に配設している。【選択図】図１
0003174155.tif 000002
【実用新案登録請求の範囲】
【請求項１】
内周壁に蛍光粉を塗布し且つ水銀ガスを封入した蛍光管およびフェライトコアに巻き付けた誘導コイルからなる無電極照明部と、１個または複数個のＬＥＤ素子からなる表面実装型または砲弾形のＬＥＤ照明部とを有し、ＬＥＤ照明部は、蛍光管の後方において、下方から見て無電極照明部と重ならないような位置に配設するハイブリッド照明装置。
【請求項２】
蛍光管がドーナツ形であり且つＬＥＤ照明部が表面実装型であると、ＬＥＤ素子を接続した基板の外径が無電極照明部の蛍光管の内径よりも小さく、該基板は蛍光管の後方において該蛍光管と同心状に配置する請求項１記載の照明装置。
【請求項３】
内周壁に蛍光粉を塗布し且つ水銀ガスを封入したドーナツ形の蛍光管およびフェライトコアに巻き付けた誘導コイルからなる無電極照明部と、１個または複数個のＬＥＤ素子を接続した基板からなる表面実装型のＬＥＤ照明部と、無電極照明部の後方においてドーナツ形の蛍光管の外径よりも大きい反射プレートとを有し、この反射プレートは無電極照明部からの発光を前方へ反射するとともに、ＬＥＤ照明部および両照明部の駆動回路の放熱板として機能させるハイブリッド照明装置。
【請求項４】
金属光沢の反射プレートが円錐台形の内周面を有する請求項１記載の照明装置。
【請求項５】
内周壁に蛍光粉を塗布し且つ水銀ガスを封入したドーナツ形の蛍光管およびフェライトコアに巻き付けた誘導コイルからなる無電極照明部と、１個または複数個のＬＥＤ素子を組み入れた円形パッケージからなるＬＥＤ照明部とを有し、無電極照明部を誘導回路、駆動回路および電源回路に接続し、且つＬＥＤ照明部を駆動回路および電源回路に接続し、これらの回路を装置内に収納するとともに、無電極照明部およびＬＥＤ照明部は少なくとも電源回路を共用するハイブリッド照明装置。
【請求項６】
無電極照明部およびＬＥＤ照明部は、保護回路および高周波インバータ回路を共用する請求項５記載の照明装置。
【請求項７】
内周壁に蛍光粉を塗布し且つ水銀ガスを封入したドーナツ形の蛍光管およびフェライトコアに巻き付けた誘導コイルからなる無電極照明部と、１個または複数個のＬＥＤ素子を接続した基板からなる表面実装型のＬＥＤ照明部と、無電極照明部の後方においてドーナツ形の蛍光管の外径よりも大きい反射プレートとを有し、ＬＥＤ素子の基板は、ドーナツ形の蛍光管の後方において円環状のほぼ中央に位置し、且つ反射プレートは無電極照明部からの発光を前方へ反射するとともに、ＬＥＤ照明部および両照明部の駆動回路の放熱板として機能させ、さらに無電極照明部を誘導回路、駆動回路および電源回路に接続し、さらにＬＥＤ照明部を駆動回路および電源回路に接続し、これらの回路を装置内に収納するとともに、無電極照明部およびＬＥＤ照明部は少なくとも電源回路を共用するハイブリッド照明装置。
【考案の詳細な説明】
【技術分野】
【０００１】
本考案は、ＬＥＤ照明および無電極照明を組み合わせて、高発光および高効率の配光を達成するハイブリッド照明装置に関する。
【背景技術】
【０００２】
ＬＥＤ照明装置は、その価格が量産化によって安価になり、蛍光灯と比べて安定器やインバータが不要となる点で使用電力の軽減という最大の利点を有している。また、白熱電球は、水銀やインバータなどの問題こそないにしても、蛍光灯と比べて発光効率が低く、寿命も非常に短い。ＬＥＤ照明装置は、赤色から青色ダイオードの開発に至ってイルミネーション用などに広く普及し、さらに青色発光ダイオードの発明によって純粋の白色発光が可能になった。ＬＥＤ照明装置は、現在では、多くの製品が開発・量産されて市販されており、販売量が大きく拡大するにつれて、旧来のフィラメントから蛍光灯への置換を経て、既存の蛍光灯から次第に置き換えられつつある。白色ＬＥＤは、専門メーカの特許の供与につれて、さらに製品の裾野が拡大する傾向にある。
【０００３】
ＬＥＤ照明装置は、プラスチックやセラミックで成形された基板の一部にＬＥＤ素子を実装したものが一般的であり、特開２００３−２８１９０９号および特開２００８−２１５６１号などが例示できる。ＬＥＤ照明装置は、一般に光の指向性が強く、一方向に対して遠方に光を届けることができる反面、ＬＥＤ素子の正面は明るく且つその周囲の部分が暗くなりやすい。また、ＬＥＤ照明装置は、本来、蛍やホタルイカの光のような冷光を目標として、全エネルギーの９０％以上を光エネルギーとして利用し、発熱の少ないものを狙いとした筈であったが、その発明には及んでいない。
【０００４】
一方、無電極照明装置は、外部からの電磁誘導によって管内部のガスを放電させて発光させる無電極放電の原理を用いている。このため、無電極照明装置は、従来のランプのようにランプ内部の電極に塗布する電極物質の消耗による寿命がなく、大幅に長寿命の光源を実現できる。公知の無電極照明装置は、省エネルギーでメンテナンスが困難な光源であるガソリンスタンドや、街路灯やトンネル灯などの景観照明または交通照明への実用化が進められており、さらに紫外線を照射するための特開平１０−１２１９５号などが存在する。
【先行技術文献】
【特許文献】
【０００５】
【特許文献１】特開２００３−２８１９０９号公報
【特許文献２】特開２００８−２１５６１号公報
【特許文献３】特開平１０−１２１９５号公報
【考案の概要】
【考案が解決しようとする課題】
【０００６】
ＬＥＤ照明装置は、光の指向性が強く、例えば図４のグラフにおけるＡのような配光性を有する。ＬＥＤ照明装置について、ＬＥＤ素子の周囲の部分が暗くなるという課題を改善しているとしても、未だに十分に解決されたとはいえない。また、ＬＥＤ照明装置は、例えば図５に示すような回路構成であり、全エネルギーの９０％以上を光エネルギーとして利用した低発熱のものが求められているのに反し、ハイパワーで高発光を求められることにより、ＬＥＤ照明装置の駆動回路が複雑化して駆動回路自体の発熱が高くなり、且つパワーＬＥＤ自体の発熱も高くなることで放熱機構やヒートシンクなどが複雑化している。
【０００７】
これに対し、無電極照明装置は、全般配光であり、例えば図４のグラフにおけるＢのような配光性を有する。無電極照明装置は、図６に例示するような回路構成であり、長寿命の光源であっても、駆動周波数が約１３ＭＨｚの高周波であるために電磁波ノイズが生じやすく、駆動回路もその周波数を発生させる発振回路などの価格が高くなって大型化してしまう。このため、同じ高周波でもメガヘルツ（ＭＨｚ）からキロヘルツ（ｋＨｚ）体への改善などにより、白熱電球、ハロゲンランプやＬＥＤ電球からの置換を期待しても、無電極照明は全般配光であるので、反射板を用いても配光域を極度に絞ることが困難であり、遠方に光を届けるのが困難であった。
【０００８】
図４に示すハイパワーのＬＥＤ照明装置および無電極照明装置の配光図から判るように、ＬＥＤ照明装置の配光Ａは、ほぼ直線的に拡がり、到達光は伸長している。一方、無電極照明装置の配光Ｂは大きな拡がりを持っているが、到達光の伸びが甘い。この両者つまりＬＥＤ照明装置と無電極照明装置を一体化して投光すると、図４に示すように、配光Ａ，Ｂは全体的に拡がりを持ち、光の伸長も生じる画期的な配光特性を有する照明が行える可能性があり、照明装置に関して多くの用途拡大が期待できる。
【０００９】
本考案は、従来のＬＥＤ照明装置および無電極照明装置の問題点を改善するために提案されたものであり、ＬＥＤ照明の利点と無電極照明の利点を有効に組み合わせるとともに、両者の一体化によって個々の照明の欠点を補完するハイブリッド照明装置を提供することを目的としている。本考案の別の目的は、反射プレートや回路機構の一部を共有することにより、比較的低価格であっても高発光および高効率であるハイブリッド照明装置を提供することである。
【課題を解決するための手段】
【００１０】
本考案に係るハイブリッド照明装置は、内周壁に蛍光粉を塗布し且つ水銀ガスを封入した蛍光管およびフェライトコアに巻き付けた誘導コイルからなる無電極照明部と、１個または複数個のＬＥＤ素子からなる表面実装型または砲弾形のＬＥＤ照明部とを有し、ＬＥＤ照明部は、蛍光管の後方において下方から見て無電極照明部と重ならないような位置に配設する。蛍光管がドーナツ形であり且つＬＥＤ照明部が表面実装型であると、ＬＥＤ素子を接続した基板の外径が無電極照明部の蛍光管の内径よりも小さく、該基板は蛍光管の後方において該蛍光管と同心状に配置すると好ましい。
【００１１】
本考案に係るハイブリッド照明装置は、内周壁に蛍光粉を塗布し且つ水銀ガスを封入したドーナツ形の蛍光管およびフェライトコアに巻き付けた誘導コイルからなる無電極照明部と、１個または複数個のＬＥＤ素子を接続した基板からなる表面実装型のＬＥＤ照明部と、無電極照明部の後方においてドーナツ形の蛍光管の外径よりも大きい反射プレートとを有していてもよい。この反射プレートは無電極照明部からの発光を前方へ反射するとともに、ＬＥＤ照明部および両照明部の駆動回路の放熱板として機能させる。好ましくは、金属光沢の反射プレートが円錐台形の内周面を有する。
【００１２】
本考案に係るハイブリッド照明装置では、無電極照明部を誘導回路、駆動回路および電源回路に接続し、且つＬＥＤ照明部を駆動回路および電源回路に接続し、これらの回路を装置内に収納するとともに、無電極照明部およびＬＥＤ照明部は少なくとも電源回路を共用する。無電極照明部およびＬＥＤ照明部は、保護回路および高周波インバータ回路を共用すると好ましい。
【考案の効果】
【００１３】
本考案に係るハイブリッド照明装置は、ＬＥＤ照明および無電極照明を組み合わせることにより、光の指向性が強いＬＥＤ照明部によって一方向に対して遠方に光を届けることができ、且つ全般配光である無電極照明によって光を全方向に出すことができる。したがって、本考案のハイブリッド照明装置は、高価なプリズム、フレネルレンズや光拡散プラスチック層を使用しなくても、ＬＥＤ照明および無電極照明の一体化によって、光の照射効果を高めることができる。
【００１４】
本考案に係るハイブリッド照明装置は、装置内部に電源回路、インバータ回路、保護回路、駆動回路、誘導回路などを備え、ＬＥＤ照明部および無電極照明部について、必要回路の一部である電源回路、保護回路および高周波インバータ回路を共用している。本考案のハイブリッド照明装置は、ＬＥＤ照明部および無電極照明部について必要な回路機能の一部の共用化により、単にＬＥＤ照明装置と無電極照明装置を併設するよりも、装置全体の製造費用の低価格化を図っている。
【００１５】
本考案に係るハイブリッド照明装置は、無電極照明に加えて、ＬＥＤ照明において１個のハイパワーＬＥＤまたは多数個のＬＥＤ素子を実装するマルチチップにより、所望の配光および明るさを確保する。本考案のハイブリッド照明装置では、光にならなかったエネルギーが自己発生熱として放出されるため、無電極照明部の反射プレートをハイパワーＬＥＤの放熱板として利用し、回路機能の共用化だけでなく、単純機構でハイパワーＬＥＤの放散機構も有効化させている。
【００１６】
本考案に係るハイブリッド照明装置は、ＬＥＤ照明および無電極照明の一体化により、照明装置としての用途の拡大を意図している。本考案のハイブリッド照明装置は、ＬＥＤ電球によるスポットライトやダウンライトとしての用途だけでなく、比較的安価で遊技場や競技場の夜間照明、屋外照明、庭園照明、イベント照明、シーリングライトなどへの展開が可能になる。
【図面の簡単な説明】
【００１７】
【図１】本考案に係るハイブリッド照明装置の横断面とともに一部の回路ブロックを示す概略説明図である。
【図２】図１のハイブリッド照明装置を下側から示す概略平面図である。
【図３】本考案のハイブリッド照明装置に適用する回路のブロック図である。
【図４】ハイパワーのＬＥＤ照明装置および無電極照明装置の配光図を示すグラフである。
【図５】従来のＬＥＤ照明装置に適用する回路のブロック図である。
【図６】従来の無電極照明装置に適用する回路のブロック図である。
【考案を実施するための形態】
【００１８】
図１および図２には、本考案に係るハイブリッド照明装置１を例示する。ハイブリッド照明装置１は、蛍光管２および誘導コイル３からなる無電極照明部５と、１個または複数個のＬＥＤ素子６からなるＬＥＤ照明部８とを備える。ＬＥＤ照明部８は、表面実装型または砲弾形であり、表面実装型であると１個または複数個のＬＥＤ素子６を接続した基板７を有する。誘導コイル３は、フェライトコア１１に巻き付けられ、該コアを蛍光管２と隣接する。ハイブリッド照明装置１は、図３に示すように、装置後方部１０の内部において電源ユニット１４を設置する。
【００１９】
無電極照明部５において、蛍光管２は、円形断面のドーナツ形や細長い直管形またはバルブ形である。蛍光管２がドーナツ形であると、ＬＥＤ照明部８の基板７を中央に配置することが可能である。また、この蛍光管が直管形であればＬＥＤ照明部８の基板を片側または両側に分配すればよく、該蛍光管がバルブ形であればＬＥＤ照明部８の円環状基板をバルブ外側に配置すればよい。
【００２０】
誘導コイル３は、一般に、蛍光管２に嵌合した円筒形のフェライトコア１１に多数回巻き付けられた構造であり、２個のコア１１を蛍光管２の直径方向において対応させて配置すると好ましい。誘導コイル３に高周波電流を流すと，水銀ガスを封入した蛍光管２の外側から管内に高周波電磁界を与え、この高周波電磁界により発生する誘導電界が放電路を形成し，管内において水銀蒸気を励起させて紫外線を発生させる。
【００２１】
ハイブリッド照明装置１のように、誘導コイル３がフェライトコア１１を用いた内巻コイル方式であると、駆動周波数を従来の１３.５６ＭＨｚである空心の外巻コイル方式から、駆動周波数を約１／１００である１３５ｋＨｚにまで下げることが可能になり、低周波にすることで点灯システムの損失を大幅に減らすことが可能になる。無電極照明部５には、光出力４５５０ｌｍの５０Ｗタイプなどがある。
【００２２】
ＬＥＤ照明部８は、一般に、ＬＥＤ素子６を基板７に接続する表面実装型であり、用途に応じてピン挿入型のような砲弾形にしてもよく、蛍光管２の後方において、下方から見て無電極照明部５と重ならないような位置に配設する。ＬＥＤ照明部８では、所定の明るさを確保するために、一般に０.５〜１Ｗ以上のハイパワーＬＥＤを１個使用するか、または多数個のＬＥＤ素子を実装するマルチチップによって発光面を大きくしてハイパワー型ＬＥＤを構成してもよい。ＬＥＤ照明部８において、基板７は円形や角形などの平面形状であり、円形の基板７であると、図２のように装置１を下方から見て蛍光管２の後方においてその円環状のほぼ中央つまり同心状に配置すると好ましい。
【００２３】
ＬＥＤ素子６は、発光色やコストなどを勘案して適宜なものを選択すればよい。例えば、ＬＥＤ素子６として、白色ＬＥＤ素子、青色ＬＥＤ素子、緑色ＬＥＤ素子、黄緑色ＬＥＤ素子、オレンジ色ＬＥＤ素子、赤色ＬＥＤ素子、紫色ＬＥＤ素子、紫外ＬＥＤ素子などが列挙できる。前記のように、ＬＥＤ素子６は、通常、１個では光量が少ないので複数個を取り付け、この場合には、平坦な基板７によって互いの位置関係を固定し、各ＬＥＤ素子６を所望の位置に配置する。基板７は、プリント基板、金属、ガラス、セラミックス、樹脂製の成形体などであればよい。
【００２４】
複数個のＬＥＤ素子６を基板７上に配置する際に、その表面における配列態様は正方格子状、六角格子状、同心円状、放射状などの規則的または不規則的のいずれでもよく、各ＬＥＤ素子６は電線を経て電源に接続されて電圧を印加される。ＬＥＤ照明部８では、例えば、基板７の前方にレンズ１３を光の指向性を緩和して適度に配光させる。レンズ１３は、集光効率が高いカップレンズであると好ましく、ＬＥＤ素子６から発光された光をカップレンズの放物面で反射させて一方向へ向けて射出するように配光制御する。
【００２５】
ＬＥＤ照明部８では、ＬＥＤ素子６ごとに同心円状のレンズ体からなるフレネルレンズを配設して、配光特性を均一化することも可能である。このフレネルレンズは、光を一定方向に集光させる効果はあっても、周囲に広げることはなく、照明光の明るさのムラを解消することができない。このようなレンズの代わりに、各ＬＥＤ素子６から放出された光を入光してから出光させるシート状のプリズムシートを使用してもよく、該プリズムシートに接して、光拡散性粒子を充填した光拡散層などを配置することも可能である。
【００２６】
ハイブリッド照明装置１は、ほぼ円柱形の装置後方部１０を有し、該後方部の周壁中央から円錐台形内周面の反射プレート１２を取り付ける。反射プレート１２は、図２に示すような角形または円形平面であり、その下方外径がドーナツ形の蛍光管２の外径よりも大きく、その下端周縁は蛍光管２の下方周端よりも下方に位置すると好ましい。反射プレート１２は、その内周面が波形断面を有するアルミニウム板で構成し、さらに半透明フード（図示しない）または照明カバーでプレート全体を被うことも可能である。
【００２７】
ハイブリッド照明装置１において、図３で概略的に示すように、無電極照明部５およびＬＥＤ照明部８では、電源回路１６、保護回路２４および高周波インバータ回路２２などを共用することが可能である。ハイブリッド照明装置１は、無電極照明部５およびＬＥＤ照明部８について回路１６，２２，２４などの共用化により、ＬＥＤ照明装置および無電極照明装置を個々に設置するよりも、装置全体がより小型化し、さらに製造費用の低価格化を達成できる。
【００２８】
ハイブリッド照明装置１は、ＬＥＤ照明部８において、多数個のＬＥＤ素子６を実装するマルチチップによって発光面を大きくし、一方、無電極照明部５は、全般配光であっても反射プレート１２によって上方への配光を抑制する。ハイブリッド照明装置１において、ＬＥＤ照明部８の配光Ａはほぼ直線的に拡がって到達光は長く伸び、一方、無電極照明部５の配光Ｂは大きな拡がりを持っていても到達光の伸びが比較的短い。ハイブリッド照明装置１では、ＬＥＤ照明部８と無電極照明部５を一体化して投光することになり、図４に示すように、配光Ａ，Ｂの合体は全体的に拡がりを持ち、光の伸長も生じる配光特性を有する照明が行える。
【００２９】
ハイブリッド照明装置１では、多数個のＬＥＤ素子６において、光にならなかったエネルギーが自己発生熱として放出され、さらに誘導回路２６や駆動回路１８，２０，２８なども発熱するため、反射プレート１２を放熱板として利用して放熱を行っている。また、照明装置１の全周面が、発熱を放出できるような構成にすることが望ましい。ハイブリッド照明装置１は、ＬＥＤ照明部８および無電極照明部５の回路機能の共用化だけでなく、ハイパワーＬＥＤなどの放散についても反射プレート１２を共用することになる。
【００３０】
ハイブリッド照明装置１は、ＬＥＤ照明部８および無電極照明部５の一体化により、照明装置としての用途の拡大を達成する。ハイブリッド照明装置１は、街路灯やトンネル灯などの景観照明または交通照明、遊技場や競技場の夜間照明、庭園照明、イベント照明などへ展開でき、屋内照明としてスポットライト、ダウンライト、シーリングライト、フロアスタンドなどにも展開が可能である。
【実施例】
【００３１】
次に、本考案を実施例に基づいて説明する。図１および図２において、本考案に係るハイブリッド照明装置１を示す。ハイブリッド照明装置は、ドーナツ形の蛍光管２および誘導コイル３からなる無電極照明部５と、複数個のＬＥＤ素子６を接続した円形基板７からなるＬＥＤ照明部８とを備える。蛍光管２には、その内周壁に蛍光粉を塗布し且つ水銀ガスが封入されている。
【００３２】
ハイブリッド照明装置１は、ほぼ円柱形の装置後方部１０を有し、該後方部の周壁中央から円錐台形内周面の反射プレート１２を取り付ける。反射プレート１２は、図２に示すような角形または円形平面であり、その下方外径がドーナツ形の蛍光管２の外径よりも大きく、その下端周縁は蛍光管２の下方周端よりも下方に位置すると好ましい。反射プレート１２は、その内周面が波形断面を有するアルミニウム板で構成し、さらに半透明フード（図示しない）をプレート全体を被うことも可能である。
【００３３】
円形断面であるドーナツ形の蛍光管２は、装置前方の中央において水平に配置して装置後方部１０に取り付ける。誘導コイル３は、蛍光管２に嵌合した円筒形のフェライトコア１１に多数回巻き付けられた構造であり、コア１１を蛍光管２の直径方向において２個対応させて配置する。誘導コイル３に高周波電流を流すと，水銀ガスを封入した蛍光管２の外側から管内に高周波電磁界を与え、この高周波電磁界により発生する誘導電界が放電路を形成し，管内において水銀蒸気を励起させて紫外線を発生させる。
【００３４】
ＬＥＤ照明部８において、円形の基板７は、図２のように装置１を下方から見ると、蛍光管２の後方において同心状に配置して固定する。複数個のＬＥＤ素子６を基板７上に配置する際に、その表面における配列態様は正方格子状であり、各ＬＥＤ素子６は電線を経て電源に接続されて電圧を印加される。ＬＥＤ照明部８では、基板７の前方にレンズ１３を設置し、光の指向性を緩和して適度に配光させる。
【００３５】
ハイブリッド照明装置１は、図３に示すように、装置後方部１０の内部に電源ユニット１４を設置している。電源ユニット１４は、電源回路１６、駆動回路１８，２０、高周波インバータ回路２２、保護回路２４で構成する。無電極照明部５には誘導回路２６を接続し、ＡＣ電源から駆動回路１８を経て誘導回路２６に接続するともに、ＡＣ電源から電源回路１６、インバータ回路２２、保護回路２４を経て誘導回路２６に接続する。一方、ＬＥＤ照明部８には駆動回路２８を接続し、ＡＣ電源から駆動回路２０を経て駆動回路２８に接続するともに、ＡＣ電源から電源回路１６、インバータ回路２２、保護回路２４を経て駆動回路２８に接続する。
【００３６】
無電極照明部５およびＬＥＤ照明部８では、電源回路１６、保護回路２４および高周波インバータ回路２２を共用する。ハイブリッド照明装置１は、無電極照明部５およびＬＥＤ照明部８について回路１６，２２，２４の共用化により、ＬＥＤ照明装置および無電極照明装置を個々に設置するよりも、装置全体の製造費用の低価格化を図っている。
【００３７】
ハイブリッド照明装置１は、ＬＥＤ照明部８において、多数個のＬＥＤ素子６を実装するマルチチップによって発光面を大きくしてハイパワー型ＬＥＤを構成し、所定の光の強さを確保する。一方、無電極照明部５は、全般配光であっても反射プレート１２によって上方への配光を抑制する。ハイブリッド照明装置１は、無電極照明部５およびＬＥＤ照明部８によって、図４におけるＡとＢを合わせた配光状態になり、全体的に拡がりを持ち且つ光の伸長も生じる配光特性を有する。
【００３８】
ハイブリッド照明装置１では、光にならなかったエネルギーが自己発生熱として放出されおよび回路からの発熱もあるため、十分に放熱することが必要であり、このために無電極照明部の反射プレート１２を放熱板としても利用する。ハイブリッド照明装置１は、回路機能の共用化だけでなく、反射プレート１２においてハイパワーＬＥＤの放散機能も有効化させる。
【００３９】
ハイブリッド照明装置１は、ＬＥＤ照明部８および無電極照明部５の一体化により、照明装置としての用途の拡大を達成する。ハイブリッド照明装置１は、ＬＥＤ照明部８によるスポットライトやダウンライトとしての用途があり、さらに比較的安価で遊技場や競技場の夜間照明、屋外照明、庭園照明、イベント照明などへの展開が可能になる。
【符号の説明】
【００４０】
１    ハイブリッド照明装置
２    蛍光管
３    誘導コイル
５    無電極照明部
６    ＬＥＤ素子
７    基板
８    ＬＥＤ照明部
【図１】
0003174155.tif 000003
【図２】
0003174155.tif 000004
【図３】
0003174155.tif 000005
【図４】
0003174155.tif 000006
【図５】
0003174155.tif 000007
【図６】
0003174155.tif 000008